(57)【要約】【目的】反射型光変調素子を用いる投写型映像表示装置において、軽量化及びコントラストの向上を図る。【構成】赤色光用の反射型液晶表示パネル３１Ｒ及び青色光用の反射型液晶表示パネル３１Ｂはダイクロイックプリズム１０の光出射面に略面一で平行に配置されている。また、緑色光用の反射型液晶表示パネル３１Ｇは、ダイクロイックプリズム１０の青色変調光の入射面に略面一で平行に配置されている。そして、各反射型液晶表示パネル３１は各色について表示すべき部分の画素が入射光（照明光）の偏光方向を９０°回転させて反射する（変調する）。ワイヤグリッド６，７，９は、ダイクロイックプリズム１０の各光入射面に対して４５°の傾きをもって配置されており、各反射型液晶表示パネル３１からの変調光を反射してダイクロイックプリズム１０の各光入射面へ導く。【選択図】                図１
2004286947.tif 000002
【特許請求の範囲】
【請求項１】
透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、赤色光用の光路上の偏光分離光学素子は赤色照明光であるＳ偏光を透過させ、赤色変調光であるＰ偏光を反射する特性に設定されると共に、前記ダイクロイックプリズムの赤色光用の入射面側には、赤色波長域の光のみ回転方向を９０°回転させて赤色変調光をＳ偏光に変換する狭帯域位相差手段が備えられたことを特徴とする投写型映像表示装置。
【請求項２】
透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、青色光用の光路上の偏光分離光学素子は青色照明光であるＳ偏光を透過させ、青色変調光であるＰ偏光を反射する特性に設定されると共に、前記ダイクロイックプリズムの青色光用の入射面側には、青色波長域の光のみ回転方向を９０°回転させて青色変調光をＳ偏光に変換する狭帯域位相差手段が備えられたことを特徴とする投写型映像表示装置。
【請求項３】
請求項１に記載の投写型映像表示装置において、青色光用の光路上の偏光分離光学素子は青色照明光であるＳ偏光を透過させ、青色変調光であるＰ偏光を反射する特性に設定されると共に、前記ダイクロイックプリズムの青色光用の入射面側には、青色波長域の光のみ回転方向を９０°回転させて青色変調光をＳ偏光に変換する狭帯域位相差手段が備えられたことを特徴とする投写型映像表示装置。
【請求項４】
透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、上記赤色用および青色用の反射型光変調素子をダイクロイックプリズムの光出射面と略同一面上で当該面に平行に配置したことを特徴とする投写型映像表示装置。
【発明の詳細な説明】
【０００１】
【産業上の利用分野】
この発明は、反射型光変調素子を備えて構成される投写型映像表示装置に関する。
【０００２】
【従来の技術】
従来より、反射型の液晶表示パネルを用いると共に、各液晶表示パネルにて変調された各色映像光を、ダイクロイックプリズムにて合成し、この合成によるカラー映像光を投写レンズにてスクリーン上に投影する投写型映像表示装置が知られている（特許文献１、特許文献２参照）。
【０００３】
【特許文献１】
特許第３３７００１０号公報
【特許文献２】
特開平１１−１４２７９３号公報
【０００４】
【発明が解決しようとする課題】
【０００５】
しかしながら、上記従来の投写型映像表示装置では、立方体形状のガラスから成る偏光ビームスプリッタを用い、反射型液晶表示パネルによって反射された変調光が偏光ビームスプリッタ内を通る構造であるため、複屈折の発生によってコントラストが低下するという欠点がある。また、ガラス重量によって投写型映像表示装置が重量化するという欠点もある。
【０００６】
この発明は、上記の事情に鑑み、反射型光変調素子を用いる投写型映像表示装置において、軽量化及びコントラストの向上を図ることを目的とする。
【０００７】
【課題を解決するための手段】
この発明にかかる投写型映像表示装置は、上記の課題を解決するために、透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、赤色光用の光路上の偏光分離光学素子は赤色照明光であるＳ偏光を透過させ、赤色変調光であるＰ偏光を反射する特性に設定されると共に、前記ダイクロイックプリズムの赤色光用の入射面側には、赤色波長域の光のみ回転方向を９０°回転させて赤色変調光をＳ偏光に変換する狭帯域位相差手段が備えられたことを特徴とする（以下、この項において第１構成という）。
【０００８】
上記の構成であれば、各反射型光変調素子にて変調された各色変調光は、各偏光分離光学素子に反射されて色合成手段へと導かれる。ここで、各色変調光が各偏光分離光学素子を透過する構成とした場合には、偏光分離光学素子の透明基板内を各色変調光が透過することになり、各色変調光において収差が発生して映像のコントラストが低下するおそれがある。これに対し、上記のごとく、各色変調光は偏光分離光学素子に反射されて色合成手段へと導かれるように構成されるため、コントラストの低下を防止することができる。また、従来のごとく偏光ビームスプリッタを用いる場合のコントラスト低下も生じないし、投写型映像表示装置の軽量化も図れることになる。また、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射する。一般に、ダイクロイックプリズムは、このような色偏光入射構成とされることにより、投写型映像表示装置の輝度向上に寄与できる。更に、前記狭帯域位相差手段が備えられたことにより、Ｓ偏光の青色変調光のなかでダイクロイックプリズムから漏れ出た青色変調光が赤色用の変調光路上に混入してしまうのを防止することができる。
【０００９】
また、この発明にかかる投写型映像表示装置は、透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、青色光用の光路上の偏光分離光学素子は青色照明光であるＳ偏光を透過させ、青色変調光であるＰ偏光を反射する特性に設定されると共に、前記ダイクロイックプリズムの青色光用の入射面側には、青色波長域の光のみ回転方向を９０°回転させて青色変調光をＳ偏光に変換する狭帯域位相差手段が備えられたことを特徴とする。
【００１０】
上記の構成であれば、各反射型光変調素子にて変調された各色変調光は、各偏光分離光学素子に反射されて色合成手段へと導かれる。ここで、各色変調光が各偏光分離光学素子を透過する構成とした場合には、偏光分離光学素子の透明基板内を各色変調光が透過することになり、各色変調光において収差が発生して映像のコントラストが低下するおそれがある。これに対し、上記のごとく、各色変調光は偏光分離光学素子に反射されて色合成手段へと導かれるように構成されるため、コントラストの低下を防止することができる。また、従来のごとく偏光ビームスプリッタを用いる場合のコントラスト低下も生じないし、投写型映像表示装置の軽量化も図れることになる。また、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射する。一般に、ダイクロイックプリズムは、このような色偏光入射構成とされることにより、投写型映像表示装置の輝度向上に寄与できる。更に、前記狭帯域位相差手段が備えられたことにより、Ｓ偏光の赤色変調光のなかでダイクロイックプリズムから漏れ出た赤色変調光が青色用の変調光路上に混入してしまうのを防止することができる。
【００１１】
更には、上記第１構成において青色光用の光路上の偏光分離光学素子は青色照明光であるＳ偏光を透過させ、青色変調光であるＰ偏光を反射する特性に設定されると共に、前記ダイクロイックプリズムの青色光用の入射面側には、青色波長域の光のみ回転方向を９０°回転させて青色変調光をＳ偏光に変換する狭帯域位相差手段が備えられた構成としてもよい。これによれば、Ｓ偏光の青色変調光のなかでダイクロイックプリズムから漏れ出た青色変調光が赤色用の変調光路上に混入してしまうのを防止できるとともに、Ｓ偏光の赤色変調光のなかでダイクロイックプリズムから漏れ出た赤色変調光が青色用の変調光路上に混入してしまうのを防止することができる。
【００１２】
また、この発明にかかる投写型映像表示装置は、透明基板上に対象光の波長程度若しくは波長より短い幅の線状体を前記波長程度若しくは波長より短い間隔で配置して成る偏光分離光学素子と、色合成手段としてダイクロイックプリズムとを備え、前記ダイクロイックプリズムの光入射面に対して、４５°の傾きをもって前記偏光分離光学素子が配置されており、当該偏光分離光学素子が反射型光変調素子への照明光として所定偏光の赤色、緑色、青色の色光を透過させると共に前記反射型光変調素子にて偏光方向が回転させられて反射してくる変調光を反射してダイクロイックプリズムに導くように配置されており、前記ダイクロイックプリズムの向かい合う二つの光入射面にＳ偏光の赤色変調光及びＳ偏光の青色変調光がそれぞれ入射すると共に、前記ダイクロイックプリズムの光出射面と反対側に位置する光入射面にＰ偏光の緑色変調光が入射するように構成されており、上記赤色用および青色用の反射型光変調素子をダイクロイックプリズムの光出射面と略同一面上で当該面に平行に配置したことを特徴とする。
【００１３】
【発明の実施の形態】
以下、この発明の実施形態の反射型の投写型映像表示装置を図１乃至図５に基づいて説明していく。
【００１４】
図１に示す投写型映像表示装置において、赤色光用の反射型液晶表示パネル３１Ｒ及び青色光用の反射型液晶表示パネル３１Ｂは、直方体形状のダイクロイックプリズム１０の光出射面に略面一で平行に配置されている。また、緑色光用の反射型液晶表示パネル３１Ｇは、ダイクロイックプリズム１０の青色変調光の入射面に略面一で平行に配置されている。各反射型液晶表示パネル３１は各色について表示すべき部分の画素が入射光（照明光）の偏光方向を９０°回転させて反射する（変調する）ように構成されている。
【００１５】
ワイヤグリッド６，７，９は、前記ダイクロイックプリズム１０の各光入射面に対して４５°の傾きをもって配置されており、各反射型液晶表示パネル３１からの変調光をダイクロイックプリズム１０の各光入射面に導く。ワイヤグリッド６，７，９は、透明ガラス基板上に各色光の波長程度若しくは波長より短い幅（例えば、１／４程度）の線状体（例えば、金属ワイヤー）を前記波長程度若しくは波長より短い間隔で配置して成る構造を有する。図１の構成においては、各ワイヤグリッド６，７，９はＰ偏光の光を透過し、Ｓ偏光の光を反射するように前記線状体の方向が設定されている。
【００１６】
光源１における発光部２は、超高圧水銀ランプ、メタルハライドランプ、キセノンランプ等から成り、その照射光はパラボラリフレクタ３によって平行光となって出射され、第１ダイクロイックミラー４へと導かれる。なお、光源１と第１ダイクロイックミラー４との間に、インテグレータレンズや偏光変換装置を設けている。インテグレータレンズは一対のレンズ群にて構成されており、個々のレンズ対が光源１から出射された光を後述する反射型液晶表示パネル３１の全面へ導くものである。偏光変換装置は、偏光ビームスプリッタアレイ（以下、ＰＢＳアレイと称する）によって構成される。ＰＢＳアレイは、偏光分離膜と位相差板（１／２λ板）とを備える。ＰＢＳアレイの各偏光分離膜は、インテグレータレンズからの光のうち例えばＰ偏光を通過させ、Ｓ偏光を９０°光路変更する。光路変更されたＳ偏光は隣接の偏光分離膜にて反射され、その前側（光出射側）に設けてある前記位相差板によってＰ偏光に変換されて出射される。一方、偏光分離膜を透過したＰ偏光は、そのまま出射される。すなわち、この場合には、ほぼ全ての光はＰ偏光に変換される。
【００１７】
前記偏光変換装置にてＰ偏光とされた光は、第１ダイクロイックミラー４に入射される。第１ダイクロイックミラー４は、赤色波長帯域の光（赤色光）及び緑色波長帯の光（緑色光）を透過し（すなわち、イエロー光を透過し）、青色波長帯域の光（青色光）を反射する。第１ダイクロイックミラー４を透過したイエロー光は第２ダイクロイックミラー５に入射される。
【００１８】
第２ダイクロイックミラー５は、緑色光を反射し、赤色光を透過する。第２ダイクロイックミラー５を透過した赤色光（Ｐ偏光）は、ワイヤグリッド６を透過し、反射型液晶表示パネル３１Ｒに至る。反射型液晶表示パネル３１Ｒによる反射光（変調光）はＳ偏光の光となり、ワイヤグリッド６によって反射され、光路を９０°変更されてダイクロイックプリズム１０の光入射面に至る。
【００１９】
第２ダイクロイックミラー５によって反射した緑色光（Ｐ偏光）は、ワイヤグリッド７を透過し、反射型液晶表示パネル３１Ｇに至る。反射型液晶表示パネル３１Ｇによる反射光（変調光）はＳ偏光の光となり、ワイヤグリッド７によって反射され、光路を９０°変更されてダイクロイックプリズム１０の光入射面に至る。
【００２０】
第１ダイクロイックミラー４によって反射された青色光（Ｐ偏光）は、全反射ミラー８によって反射され、ワイヤグリッド９を透過し、反射型液晶表示パネル３１Ｂに至る。反射型液晶表示パネル３１Ｂによる反射光（変調光）はＳ偏光の光となり、ワイヤグリッド９によって反射され、光路を９０°変更されてダイクロイックプリズム１０の光入射面に至る。
【００２１】
ダイクロイックプリズム１０は、赤色変調光と緑色変調光と青色変調光を合成してカラー映像光を生成し、光出射面から出射する。出射されたカラー映像光は投写レンズ１１によって図示しないスクリーンに投影される。
【００２２】
上記構成の投写型映像表示装置であれば、各反射型液晶表示パネル３１にて変調された各色変調光は、各ワイヤグリッド６，７，９に反射されてダイクロイックプリズム１０へと導かれる。ここで、各色変調光が各ワイヤグリッド６，７，９を透過する構成とした場合には、ワイヤグリッドのガラス基板内を各色変調光が透過することになり、各色変調光において収差が発生して映像の画質が低下するおそれがある。これに対し、上記のごとく、各色変調光は、各ワイヤグリッド６，７，９に反射されてダイクロイックプリズム１０へと導かれるように構成されるため、画質の劣化を防止することができる。また、従来のごとく偏光ビームスプリッタを用いる場合のコントラスト低下も生じないし、投写型映像表示装置の軽量化も図れることになる。
【００２３】
次に、図２に示す投写型映像表示装置について説明していく。図１と同一の構成要素には、同一の符号を付記してその説明を省略する。なお、ワイヤグリッドの符号に”Ｐ”を付す場合には、当該ワイヤグリッドはＰ偏光を反射し、Ｓ偏光を透過するように配置構成されていることを示す。
【００２４】
狭帯域位相差板１２Ｇは、第１ダイクロイックミラー４を透過したイエロー光のうち、緑色波長帯の光についてのみ、その偏光方向を９０°回転させる。すなわち、緑色光はＳ偏光となってワイヤグリッド７Ｐに至ることになる。ワイヤグリッド７ＰはＳ偏光を透過するため、前記緑色光は反射型光変調素子３１Ｇに照射され、Ｐ偏光の変調光となって反射されてワイヤグリッド７Ｐに至る。ワイヤグリッド７ＰはＰ偏光の緑色変調光を反射してダイクロイックプリズム１０の光入射面に導く。一般に、ダイクロイックプリズム１０の中央側入射面に入射される緑色光は、Ｐ偏光とされる方が輝度の向上を図る上で望ましく、かかる図２に示す構成であれば、緑色変調光をＰ偏光とすることができるため、輝度が向上することになる。
【００２５】
ところで、図１及び図２に示す投写型映像表示装置では、ダイクロイックプリズム１０に入射する青色変調光及び赤色変調光において、当該ダイクロイックプリズム１０を突き抜けて反対側の入射面から一部漏れ出る漏れ光が生じる。この漏れ光はＳ偏光であるため、ワイヤグリッド６又はワイヤグリッド９によって反射され、反射型液晶表示パネル３１Ｂ又は反射型液晶表示パネル３１Ｒに導かれてしまい、その反射光の一部がダイクロイックプリズム１０に導かれて映像光に混じって出射されるために映像のコントラストが低下することになる。その一方、一般に、ダイクロイックプリズム１０は、赤色および青色はＳ偏光を、緑色はＰ偏光を用いることにより輝度向上を図ることができる。
【００２６】
図３に示す投写型映像表示装置では、イエロー光の光路上に狭帯域位相差板１２Ｙを設けている。狭帯域位相差板１２Ｙは、イエロー光（赤色光及び緑色光）に対してのみ、その偏光方向を９０°回転させる。なお、既にイエロー光に分離された光路上に配置するので、通常の位相差板を備えることとしてもよい。Ｓ偏光とされた赤色照明光は、ワイヤグリッド６Ｐを透過し、反射型液晶表示パネル３１Ｒにて反射変調され、Ｐ偏光となった赤色変調光はワイヤグリッド６Ｐによっ反射される。ダイクロイックプリズム１０の赤色光用の入射面側には、狭帯域位相差板１２Ｒが配置されている。狭帯域位相差板１２Ｒは、赤色光に対してのみ、その偏光方向を９０°回転させる。すなわち、赤色変調光はＳ偏光となってダイクロイックプリズム１０に入射する。
【００２７】
図３の投写型映像表示装置では、Ｓ偏光の青色漏れ光はダイクロイックプリズム１０から漏れ出て狭帯域位相差板１２Ｒを透過してワイヤグリッド６Ｐに至る。狭帯域位相差板１２Ｒは赤色光に対してのみ、その偏光方向を９０°回転させるので、Ｓ偏光の青色漏れ光はそのままワイヤグリッド６Ｐに至る。ワイヤグリッド６ＰはＳ偏光を透過させるため、Ｓ偏光の青色漏れ光はワイヤグリッド６Ｐを透過し、反射型液晶表示パネル３１Ｒに至ることはない。従って、コントラストの低下を防止できる。また、ダイクロイックプリズム１０へはＳ偏光の赤色変調光を入射させることができる。
【００２８】
図４に示す投写型映像表示装置では、Ｐ偏光の白色光路上に狭帯域位相差板１２Ｃを設けている。狭帯域位相差板１２Ｃは、シアン光（青色光及び緑色光）に対してのみ、その偏光方向を９０°回転させる。Ｓ偏光とされた青色照明光は、ワイヤグリッド９Ｐを透過し、反射型液晶表示パネル３１Ｂにて反射変調され、Ｐ偏光となった青色変調光はワイヤグリッド９Ｐによって反射される。ダイクロイックプリズム１０の青色光用の入射面側には、狭帯域位相差板１２Ｂが配置されている。狭帯域位相差板１２Ｂは、青色光に対してのみ、その偏光方向を９０°回転させる。すなわち、青色変調光はＳ偏光となってダイクロイックプリズム１０に入射する。
【００２９】
図４の投写型映像表示装置では、Ｓ偏光の赤色漏れ光はダイクロイックプリズム１０から漏れ出て狭帯域位相差板１２Ｂを透過してワイヤグリッド９Ｐに至る。狭帯域位相差板１２Ｂは青色光に対してのみ、その偏光方向を９０°回転させるので、Ｓ偏光の赤色漏れ光はそのままワイヤグリッド９Ｐに至る。ワイヤグリッド９ＰはＳ偏光を透過させるため、Ｓ偏光の青色漏れ光はワイヤグリッド６Ｐを透過し、反射型液晶表示パネル３１Ｒに至ることはない。従って、コントラストの低下を防止できる。また、ダイクロイックプリズム１０へはＳ偏光の青色変調光を入射させることができる。
【００３０】
図５に示す構成では、光源１からの白色光は、図示しない偏光変換装置によってＳ偏光に揃えられている。そして、ワイヤグリッドの全てがＰ偏光を反射するタイプであるワイヤグリッド６Ｐ，７Ｐ，９Ｐとされ、ダイクロイックプリズム１０の青色光用の入射面側には狭帯域位相差板１２Ｂが配置され、ダイクロイックプリズム１０の赤色光用の入射面側には狭帯域位相差板１２Ｒが配置された構成になっている。かかる構成であれば、Ｓ偏光の赤色漏れ光はワイヤグリッド９Ｐを透過し、反射型液晶表示パネル３１Ｂに至ることはなく、且つ、Ｓ偏光の青色漏れ光はワイヤグリッド６Ｐを透過し、反射型液晶表示パネル３１Ｒに至ることはない。更に、図３における狭帯域位相差板１２Ｙや狭帯域位相差板１２Ｃを必要としない構成になる。
【００３１】
【発明の効果】
以上説明したように、この発明によれば、反射型光変調素子を用いる投写型映像表示装置において、軽量化及びコントラストの向上を図ることができるという効果を奏する。
【図面の簡単な説明】
【図１】この発明の実施形態の投写型映像表示装置の光学系を示した説明図である。
【図２】この発明の実施形態の投写型映像表示装置の光学系を示した説明図である。
【図３】この発明の実施形態の投写型映像表示装置の光学系を示した説明図である。
【図４】この発明の実施形態の投写型映像表示装置の光学系を示した説明図である。
【図５】この発明の実施形態の投写型映像表示装置の光学系を示した説明図である。
【符号の説明】
１    光源
４    第１ダイクロイックミラー
５    第２ダイクロイックミラー
６，７，９  ワイヤグリッド
６Ｐ，７Ｐ，９Ｐ  Ｐ偏光を反射するワイヤグリッド
１０  ダイクロイックプリズム
１１  投写レンズ
１２  狭帯域位相差板
３１  反射型液晶表示パネル
【図１】
2004286947.tif 000003
【図２】
2004286947.tif 000004
【図３】
2004286947.tif 000005
【図４】
2004286947.tif 000006
【図５】
2004286947.tif 000007